(57)【特許請求の範囲】
【請求項１】
（１）  地経糸に編成されてウェール方向（３６）に連続する鎖編列（１９）と鎖編列（１９）の間を挿入糸（２０）で連結して編成される平編状上布（２１）と、上布（２１）の２列の鎖編列（１９・１９）につき１列の割合で複数本の地経糸（２２・２３）によって編成され、それら複数本の地経糸（２２・２３）が数コース毎に上布の１ウェール間隔分（Ｇ）だけ左右２方向に分かれて移動して集合する複数本の地経糸（２２・２３）が再び編成して数コース毎に左右ジグザグにウェール方向（３６）に続く鎖編列（２４）によって、それら複数本の地経糸（２２・２３）が左右に分かれて移動する毎に隣合う鎖編列間（２４・２４）に四角形ないし六角形の開口（４４）を形成して編成されるネット状下布（２５）を、上布の鎖編列（１９）の編目と下布の鎖編列（２４）の編目に編み込まれる連結糸（２６）によって連結して二重に編成され、上布の左右隣合う２列の鎖編列（１９・１９）のそれぞれに編み込まれる２本の連結糸（２６・２６）が下布の同じ鎖編列（２４）に編み込まれ、それら上下合計３列の各鎖編列（１９・１９・２４）を頂点とし、それら上下の鎖編列（１９・１９・２４）に編み込まれる２本の連結糸（２６・２６）を２辺とし、下布の隣合う２列の鎖編列（１９・１９）を連結する挿入糸（２０）を他の１辺とする三角形状隙間（１１）と、下布の開口（４４）から窪んで出来る隙間（１２）を、上布（２１）と下布（２５）の間に有する二重経編布に、その下布の開口（４４）とそこから窪んで出来る隙間（１２）および上布（２１）と下布（２５）の間で鎖編列（１９・２４）から起立し並んで隣合う連結糸（２６）と連結糸（２６）の間の隙間を塞ぐことなく液状樹脂組成物（２８）を付与し、その液状樹脂組成物の塗膜（２８）によって上下の鎖編列（１９・１９・２４）と連結糸（２６）と挿入糸（２０）を包み込んで成り、
（２）  ウェール方向（３６）に続く開口（４０）と開口（４０）の間とコース方向（１５）に隣合う開口（４０）と開口（４０）の間を結ぶ排水溝が確保されており、
（３）  平編状上布（２１）の表面が平坦になっており、
（４）  上下の鎖編列（１９・１９・２４）と連結糸（２６）と挿入糸（２０）を包み込んでいる液状樹脂組成物（２８）がラテックスまたは塩化ビニルペーストレジンを主材として成り、
（５）  上布から下布までの二重経編布の厚みが２〜５ｍｍであることを特徴とする排水性マット。
【請求項２】
前掲請求項１に記載の下布の開口（４４）から窪んで出来る隙間（１２）に粒体が充填されていることを特徴とする前掲請求項１に記載の排水性マット。
【請求項３】
前掲請求項１に記載の液状樹脂組成物の塗膜（２８）の表面が液状ポリウレタン樹脂または液状アクリル樹脂の皮膜で被覆されていることを特徴とする前掲請求項１に記載の排水性マット。
【請求項４】
前掲請求項１に記載の上布（２１）の外面に、基布（３８）の表面に液状樹脂組成物（１３）を塗布した樹脂コート地（３９）が貼り合わされていることを特徴とする前掲請求項１に記載の排水性マット。
【請求項５】
前掲請求項１に記載の上布（２１）の外面に、表面毛羽（４０）を有する基布の表面に液状樹脂組成物（１３）を塗布し、その表面毛羽（４０）を芯とする粒塊（４１）を形成した樹脂コート地（３９）が貼り合わされていることを特徴とする前掲請求項１に記載の排水性マット。
【請求項６】
前掲請求項１に記載の上布（２１）の外面に、液状樹脂組成物（１３）に被覆された粒体（４３）による凹凸が形成されていることを特徴とする前掲請求項１に記載の排水性マット。
【請求項７】
前掲請求項１に記載の地経糸と挿入糸と連結糸が３０デニール以上のモノフイラメント糸であることを特徴とする前掲請求項１に記載の排水性マット。
【発明の詳細な説明】
【０００１】
【発明の属する技術分野】
本発明は、浴室、洗面所、トイレ、プールサイド、ベランダ、グランド等の排水が必要となる平面に敷設される排水性マットに関するものである。
【０００２】
【従来の技術】
浴室や洗面所、トイレ等の排水が必要となる床面には、プラスチックによりタイル状に射出成形され、平板な表面盤の裏面から同じ長さの脚材が多数突出したマットや、縦横の格子の間隔を細かくした形のマットや、同じ長さの短い筒体を密着させて並べた形のマットが敷設施工されている。
【０００３】
【発明が解決しようとする課題】
これらの射出成形されたプラスチック製マットでは、その射出成形時に使用する金型の製作上の都合や、その金型からの脱形上の都合からして、平板状に配列されていてマットに排水機能をもたらす脚材や格子や筒体の間隔を細かくすることは出来ず、それらが粗く配列されているので、それを地面に敷設するときは、その脚材や格子や筒体が地面に食い込んで、マットの施工面に凹凸が出来、その施工面を平坦に維持することは出来ない。又、プラスチック製マットでは、使用上必要とされる強度を確保するために硬く高重量に成形されるので、それをロール状に巻き上げることは出来ず、縦横の寸法が１ｍ以下で概して３０〜５０ｃｍ角のタイル状に形成されるので、それを広い床面に敷き詰めて施工するときは、マットとマットの間の隙間や段差をなくすための継ぎ目の処理が問題となる。そして、プラスチック製マットは、紫外線によって劣化変色し易いので、直射日光に曝されるベランダやグランドへの使用には不向きである。
【０００４】
【発明の目的】
そこで本発明は、軽く可撓でロール状に巻き上げて運搬し易く、直射日光の当たるベランダやプールサイド、テニスコートその他のグランドにも継ぎ目なしに敷設することが出来、柔らかい地面に敷設しても食い込まず、敷設施工面が平坦に維持され、耐候性に富む排水性マットを得ることを目的とする。
【０００５】
【課題を解決するための手段】
本発明に係る排水性マット４２は、（１）  地経糸に編成されてウェール方向３６に連続する鎖編列１９と鎖編列１９の間を挿入糸２０で連結して編成される平編状上布２１と、上布２１の２列の鎖編列１９・１９につき１列の割合で複数本の地経糸２２・２３によって編成され、それら複数本の地経糸２２・２３が数コース毎に上布の１ウェール間隔分（Ｇ）だけ左右２方向に分かれて移動して集合する複数本の地経糸２２・２３が再び編成して、数コース毎に左右ジグザグにウェール方向３６に続く鎖編列２４によって、それら複数本の地経糸２２・２３が左右に分かれて移動する毎に隣合う鎖編列間２４・２４に四角形ないし六角形の開口４４を形成して編成されるネット状下布２５を、上布の鎖編列１９の編目と下布の鎖編列２４の編目に編み込まれる連結糸２６によって連結して二重に編成され、上布の左右隣合う２列の鎖編列１９・１９のそれぞれに編み込まれる２本の連結糸２６・２６が下布の同じ鎖編列２４に編み込まれ、それら上下合計３列の各鎖編列１９・１９・２４を頂点とし、それら上下の鎖編列１９・１９・２４に編み込まれる２本の連結糸２６・２６を２辺とし、下布の隣合う２列の鎖編列１９・１９を連結する挿入糸２０を他の１辺とする三角形状隙間１１と、下布の開口４４から窪んで出来る隙間１２を、上布２１と下布２５の間に有する二重経編布に、その下布の開口４４とそこから窪んで出来る隙間１２および上布２１と下布２５の間で鎖編列１９・２４から起立し並んで隣合う連結糸２６と連結糸２６の間の隙間を塞ぐことなく液状樹脂組成物２８を付与し、その液状樹脂組成物の塗膜２８によって上下の鎖編列１９・１９・２４と連結糸２６と挿入糸２０を包み込んで成り、
（２）  ウェール方向３６に続く開口４０と開口４０の間とコース方向１５に隣合う開口４０と開口４０の間を結ぶ排水溝が確保されており、
（３）  平編状上布（２１）の表面が平坦になっており、
（４）  上下の鎖編列（１９・１９・２４）と連結糸（２６）と挿入糸（２０）を包み込んでいる液状樹脂組成物（２８）がラテックスまたは塩化ビニルペーストレジンを主材として成り、
（５）  上布から下布までの二重経編布の厚みが２〜５ｍｍであることを第１の特徴とする。
【０００６】
【０００７】
本発明に係る排水性マット４２の第２の特徴は、上記第１の特徴に加えて、上下の鎖編列１９・１９・２４と連結糸２６と挿入糸２０を包み込んでいる液状樹脂組成物の塗膜２８の表面が、液状ポリウレタン樹脂または液状アクリル樹脂の皮膜で被覆されていることにある。
【０００８】
本発明に係る排水性マット４２の第３の特徴は、上記第１または第２の何れかの特徴に加えて、上布２１の外面に、基布３８の表面に液状樹脂組成物１３を塗布した樹脂コート地３９が貼り合わされていることにある。
【０００９】
本発明に係る排水性マット４２の第４の特徴は、上記第１または第２の何れかの特徴に加えて、上布２１の外面に、表面毛羽４０を有する基布の表面に液状樹脂組成物１３を塗布し、その表面毛羽４０を芯とする粒塊４１を形成した樹脂コート地３９が貼り合わされていることにある。
【００１０】
本発明に係る排水性マット４２の第５の特徴は、上記第１、第２、第３または第４の何れかの特徴に加えて、上布２１の外面に、液状樹脂組成物１３に被覆された粒体４３による凹凸が形成されていることにある。
【００１１】
本発明に係る排水性マット４２の第６の特徴は、上記第１、第２、第３、第４または第５の何れかの特徴に加えて、ネット状下布２５の開口４４から窪んで出来る隙間１２に粒体が充填されていることにある。
【００１２】
【００１３】
本発明に係る排水性マット４２の第７の特徴は、上記第１、第２、第３、第４、第５または第６の何れかの特徴に加えて、地経糸と挿入糸と連結糸に３０デニール以上のモノフイラメント糸が使用されていることにある。
【００１４】
【発明の実施の形態】
地経糸と挿入糸には、ガラス繊維、金属繊維、炭素繊維、アラミド繊維、ポリエステル繊維、塩化ビニリデン繊維、アクリル繊維の紡績糸またはフイラメント糸を用い、連結糸にはポリエステル繊維かナイロンの３０デニール以上、好ましくは５０デニール以上、更に好ましくは１００デニール以上のモノフイラメント糸を用いるとよい。液状樹脂組成物２８は、それを二重経編布にドクターを用いて塗布したとき、その二重経編布の表裏に及ぶ全体に浸透し、その塗布面の反対面に滲み出て垂れ落ちる程度の粘度に調製する。その塗布された二重経編布を一定間隔で並べたガイドバーの上を通過させ、そのとき垂れ落ちる余剰の液状樹脂組成物２８をガイドバーで掻き取って加熱ゾーンに通し塗膜２８を固化させる。
【００１５】
二重経編布への液状樹脂組成物２８の塗着量は、ウェール方向において隣合う開口４４と開口４４の間において、上布２１の左右の鎖編列１９・１９から起立し下布２５の鎖編列２４において交わる左右の連結糸２６・２６と、上布２１の挿入糸２０とによって囲まれる断面が三角形状となる隙間１１が、液状樹脂組成物２８に塞がれずに残る程度にするとよい（図１）。そうすると、その三角形状隙間１１を介して二重経編布のウェール方向３６に続く開口４０と開口４０を結ぶ排水溝が確保される。更に好ましくは、液状樹脂組成物２８の塗着量は、二重経編布のコース方向１５に隣合う開口４０と開口４０の間の排水溝を確保するうえで、上布２１と下布２５の間で鎖編列１９・２４から起立してウェール方向３６に並んで隣合う何れかの連結糸２６と連結糸２６の間にも、液状樹脂組成物２８によっては塞がれない某かの隙間が残る程度にすることが望ましい。そのように液状樹脂組成物２８の塗着量を少なくするには、液状樹脂組成物２８を付与した二重経編布をニップロールに通して液状樹脂組成物２８を絞り出してもよく、そのニップロールを通った二重経編布は、その三角形状隙間１１を囲んで上布２１と下布２５の間に介在する連結糸２６の弾性回復力によって元の厚みを回復する。そのように、ニップロールを通った二重経編布が元の厚みを回復し易くなるようにするためにも、又、液状樹脂組成物２８の塗着量が少なくなるようにするためにも、地経糸と挿入糸には、太くて弾性回復力に富み、液状樹脂組成物２８が付着し難い３０デニール以上、好ましくは５０デニール以上、更に好ましくは１００デニール以上のモノフイラメント糸を用いることが推奨される。
【００１６】
その上布２１と下布２５を結ぶ連結糸２６を液状樹脂組成物２８で補強し、その連結糸２６によって排水性マット４２にもたらされるクッション性を高めるためにも、液状樹脂組成物２８には、ラテックスか塩化ビニルペーストレジンを用いるとよく、更に、その塗膜２８の紫外線による劣化を防ぐために、その塗膜２８の表面を液状ポリウレタン樹脂または液状アクリル樹脂の皮膜で被覆するとよい。その場合、液状ポリウレタン樹脂や液状アクリル樹脂の塗着量も、三角形状隙間１１が塞がれない程度に、好ましくは、鎖編列１９・２４から起立してウェール方向３６に並ぶ連結糸２６と連結糸２６の間に隙間が残る程度にする。
【００１７】
液状樹脂組成物の塗着量をその程度にする場合、上布２１の鎖編列１９・１９を結んで隣合う挿入糸間２０・２０にも隙間が残り、液状樹脂組成物２８による上布２１の補強が不十分になることもあるので、上布２１の外面に、更に液状樹脂組成物１３を塗布し（図２）、或いは、基布２８の表面に液状樹脂組成物１３を塗布した樹脂コート地３９を貼り合わせて表面層を補強する（図４）。この樹脂コート地３９は、二重経編布に付与する液状樹脂組成物２８を介して上布２１の上に貼り合わせてもよい。
【００１８】
排水性マット４２は、上布２１を上に向けて使用してもよいし下に向けて使用することも出来る。上布２１を上に向けて使用する場合、その排水性マット４２の表面でのスリップを防止し、その踏心地をよくするため、又、上布２１を下に向けて使用する場合には、排水性マット４２と床面や地面とのアンカリングをよくするため、樹脂コート地３９には、表面毛羽４０を有する基布３８の表面に液状樹脂組成物１３を塗布し、その表面毛羽４０を芯とする粒塊４１を形成したものを適用するとよい（図５）。粒塊４１は、液状樹脂組成物１３を塗布した基布３８や上布２１の表面に砂や寒水石等の粒体４３を散布し、又は、液状樹脂組成物１３に粒体４３を配合して基布３８や上布２１の表面に塗布して形成することも出来る（図３）。
【００１９】
排水性マット４２を上布２１を下向きに使用する場合、砂や寒水石等の鉱物質粒体、ゴムタイヤやスポンジ等を粉砕したプラスチック粒体、好ましくは、上布２１を構成する挿入糸間２０・２０や鎖編列１９・２４から起立して並ぶ連結糸間２６・２６の隙間よりも粒径が粗い粒体を、表面に現われる開口４４に散布し充填すると、粒体の積層の上に露出する排水性マット４２のネット状下布２５が、連結糸２６のみならず粒体の積層にも支えられるので、敷設施工した排水性マット４２は使用中に踏み潰されて薄くなることなく、又、開口４４に充填された粒体間には排水上必要とされる隙間が出来る。
【００２０】
従って、粒体を開口４４に充填することによって、排水性マット４２の排水性が阻害されることはなく、却って、ゴムやスポンジ等の有する弾性によって排水性マット４２のクッション性が高められ、又、鎖編列１９・２４から起立する連結糸２６に遮られて粒体が移動しないので、排水性マット４２の施工面は平坦に維持され、更に又、排水性マット４２を突き合わせて敷設施工しても、その継ぎ目が粒体に隠されて目立たなくなり、そして更に、開口４４に充填した粒体の重力によって、開口４４の底面の上布２１が押さえられるので、排水性マット４２が軽くても風に吹き飛ばされなくなる。そのように、粒体は敷設施工後に散布して充填されるものであるが、実質的に上布２１と下布２５の間に粒体が充填され、クッション性に富み、平坦に敷設施工出来、継ぎ目が目立たず、風に吹き飛ばされない排水性マット４２が得られることになる。
【００２１】
【発明の効果】
本発明の排水性マット４２では、上布２１と下布２５の間において、上布２１の左右２列の各鎖編列１９・１９から起立して下布２５の鎖編列２４において交わる左右の連結糸２６・２６と上布２１の左右２列の鎖編列１９・１９の間を結ぶ挿入糸２０が二等辺三角形構造物を構成しており、その二等辺三角形構造物が樹脂組成物の塗膜２８で補強されているので、上布２１と下布２５の間が耐圧縮性に富み、その塗膜２８によって紫外線が遮断されるので地経糸や挿入糸と連結糸が紫外線によって劣化し難く、その二等辺三角形構造物の断面に出来る三角形状隙間１１はウェール方向３６に開口４４と開口４４を繋いで連続した排水溝を構成するので排水性を有する。
【００２２】
そして、本発明の排水性マット４２は、射出成形されるプラスチックとは異なり、繊維高分子が配向しており、射出成形されるプラスチックよりも強靱な地経糸と挿入糸と連結糸が三次元立体構造を成す二重経編布を芯材とし、それらの糸条の表面を樹脂組成物の塗膜２８で被覆して構成されており、その地経糸や挿入糸や連結糸の使用量が、従来のプラスチック製マットの重量よりも遙に少なくても、従来のプラスチック製マットよりも耐久性に富み、軽量可撓でロール状に巻き上げて持ち運ぶことが出来、楽に敷設施工出来る。
【００２３】
又、本発明の排水性マット４２では、従来のプラスチック製マットの平坦に維持する脚材や格子や筒体の脚材に該当する連結糸２６は、上布２１と下布２５から細かく起立させることが出来、上布２１を上に向けて施工する場合でも下に向けて施工する場合でも、表面を平坦に支える連結糸２６の上下両端が上布２１と下布２５に連続しているので、連結糸２６が地面に食い込むことなく、その施工面が平坦に維持され、その施工面に凹凸が出来ない。
【００２４】
更に、本発明の排水性マット４２は、上布２１を下向きにし開口４４を上向きにして施工することが出来、その表面に現われる開口４４に粒体を散布し充填すると、その粒体の積層の上に露出するネット状下布２５が連結糸２６と粒体の積層に支えられて使用中に踏み潰されず、その粒体の有する弾性によってクッション性が高められ、施工面が平坦に維持され、排水性マット４２を従来のプラスチック製マットと同様に３０〜５０ｃｍ角のタイル状に裁断し突き合わせて敷設施工する場合でも継ぎ目が粒体に隠されて目立たず、その開口４４に充填した粒体の重力に押さえられるので風に吹き飛ばされることもなく、従って、排水性マット４２を一層軽量化することが出来、一方、その充填する粒体間には、排水上必要とされる隙間ができるので、粒体を散布し充填することによって、排水性マット４２の排水性が損なわれない。
【００２５】
従って、本発明によると、実質的に軽く可撓でロール状に巻き上げて運搬し易く、直射日光の当たるベランダやプールサイド、テニスコートその他のグランドにも継ぎ目なしに敷設することが出来、柔らかい地面に敷設しても食い込まず、敷設施工面が平坦に維持され、風に吹き飛ばされることなく、耐候性に富む排水性マット４２が得られる。
【００２６】
本発明の排水性マット４２では、上布２１と下布２５の間を支える連結糸２６が弾力性に富むラテックスまたは塩化ビニルペーストレジンで被覆され、三次元立体構造を成す地経糸と挿入糸と連結糸の各接続箇所がラテックスまたは塩化ビニルペーストレジンによって弾性的に接合されるので、そのクッション性は一層優れたものとなる。
【００２７】
本発明の排水性マット４２では、そのように排水性マット４２を補強する樹脂組成物の塗膜２８の表面が耐光性に優れたポリウレタン樹脂やアクリル樹脂の皮膜で被覆されているので、紫外線によって劣化し難く、耐候性に富むものとなる。
【００２８】
本発明の排水性マット４２では、上布２１の外面に、基布３８の表面に液状樹脂組成物１３を塗布した樹脂コート地３９が貼り合わされているので、地経糸と挿入糸と連結糸の各接続箇所を弾性的に接合する樹脂組成物２８の塗着量を少なくすることが出来、そうすることによって二重経編布のウェール方向３６に続く三角形状隙間１１や連結糸間２６・２６の隙間を排水溝として確保される。
【００２９】
本発明の排水性マット４２では、その表面に毛羽４０を固めた粒塊４１や粒体４３による細かい凹凸が形成されているので、その表面と歩行者の靴底裏面との間に極度のスリップがなく、適度のスライドが生じ、歩行者に足の負担・疲れを感じさせない。
【００３０】
特に、本発明の排水性マット４２では、上布２１と下布２５との隙間が少なく、踏み込まれても表面が大きく窪まないので、歩行者に足の負担・疲れを感じさせない。
【００３１】
そして本発明の排水性マット４２では、液状樹脂組成物２８が付着し難い３０デニール以上のモノフイラメント糸が地経糸と挿入糸と連結糸に使用されているので、排水性に富むものとなる。
【図面の簡単な説明】
【図１】  本発明に係る二重経編布に樹脂組成物を付与した排水性マットの拡大斜視図である。
【図２】  本発明に係る二重経編布に樹脂組成物を付与した排水性マットの斜視図である。
【図３】  本発明に係る二重経編布に樹脂組成物を付与し表面に粒体による凹凸を形成した排水性マットの斜視図である。
【図４】  本発明に係る二重経編布に樹脂組成物を付与し表面に粒体による凹凸を形成した排水性マットの斜視図である。
【図５】  本発明に係る排水性マットの表面層を構成する樹脂コート地の断面図であり、その一部を円で囲んで拡大して図示している。
【符号の説明】
１１  三角形状隙間
１２  隙間
１３  液状樹脂組成物
１９  鎖編列
２０  挿入糸
２１  上布
２２  地経糸、
２３  地経糸
２４  鎖編列
２５  上布
２６  連結糸
２８  液状樹脂組成物
３６  ウェール方向
３８  基布
３９  樹脂コート地
４０  表面毛羽
４１  粒塊
４２  排水性マット
４３  粒体
４４  開口
４５  コース方向
【図１】
0004143985.tif 000002
【図２】
0004143985.tif 000003
【図３】
0004143985.tif 000004
【図４】
0004143985.tif 000005
【図５】
0004143985.tif 000006